(57)【要約】      （修正有）【課題】ヘルメットへの装着性に優れたヘッドランプを提供する。【解決手段】ヘルメットのシェル外周縁に装着されるヘッドランプにおいて、ヘッドマウント１１にはランプ本体１０が揺動可能に取付けられる一方、ヘッドマウントの左右両側にはベルト取付け部１２が形成され、該ベルト取付け部には伸縮ベルト１３の両端部が着脱可能に取付けられ、該伸縮ベルトのベルト表面及びベルト裏面の少なくとも一方はそのゴム面が露出され、該ゴム面がヘルメットのシェル外周縁に密着され得るようになっていることを特徴とする。伸縮ベルトにはシリコンゴム、クロロプレンゴム、天然ゴム又はＮＢＲゴムによって製造されるのがよい。【選択図】図１
0003169650.tif 000002
【実用新案登録請求の範囲】
【請求項１】
ヘルメットのシェル外周縁に装着されるヘッドランプにおいて、
ヘッドマウント（１１）にはランプ本体（１０）が揺動可能に取付けられる一方、
ヘッドマウント（１１）の左右両側にはベルト取付け部（１２）が形成され、該ベルト取付け部（１２）には伸縮ベルト（１３）の両端部が着脱可能に取付けられ、該伸縮ベルト（１３）のベルト表面及びベルト裏面の少なくとも一方はそのゴム面が露出され、該ゴム面がヘルメット（２０）のシェル外周縁（２０Ａ）に密着され得るようになっていることを特徴とするヘッドランプ。
【請求項２】
上記伸縮ベルト（１３）がシリコンゴム、クロロプレンゴム、天然ゴム又はニトリルゴムによって製造されてベルト表裏面のゴム面が露出されている請求項１記載のヘッドランプ。
【考案の詳細な説明】
【技術分野】
【０００１】
この考案はヘッドランプに関し、特にヘルメットに装着するのに適したランプに関する。
【背景技術】
【０００２】
ヘッドランプはユーザの額に装着できるように設計されたランプであり、夜間などにおいて両手を自由に使えるという点で、作業性に優れている。
【０００３】
従来のヘッドランプはランプ本体をベースに揺動可能に取付ける一方、ユーザの額回りに伸縮ベルトを装着し、伸縮ベルトによってベースを額に保持するような構造となっている（特許文献１、特許文献２、特許文献３、特許文献４）。
【０００４】
ところで、作業現場では安全性を確保するために、作業用ヘルメットの着用が求められることが多いが、額にヘッドランプを装着したままではヘルメットが着用できないことから、ヘッドランプをヘルメットのシェル外周縁に装着する必要がある。
【０００５】
他方、孔あきヘルメットの頂部に取付けベルトによってランプ本体を取付けるようにしたヘルメットランプが提案されているが（特許文献５）、一般的な作業用ヘルメットに取り付けることができない。
【先行技術文献】
【特許文献】
【０００６】
【特許文献１】特開２００８−２５８１４４号公報
【特許文献２】特開２００３−５９３０２号公報
【特許文献３】特開２００２−１７５７１９号公報
【特許文献４】特開平０９−２２３４０３号公報
【特許文献５】特開２００２−２８９０３０号公報
【考案の開示】
【考案が解決しようとする課題】
【０００７】
しかし、特許文献１〜４記載のヘッドランプではユーザが伸縮ベルトの密着によって額回りに汗をかかないように、又は額回りが締め付けられて苦痛を感じないように、例えばポリウレタン弾性糸に綿糸やナイロン糸などを巻き付けたカバーリングヤーンで編成した布製ベルトを伸縮ベルトに用いて通気性や柔軟性を確保するようにしているが、布製ベルトはヘルメットのシェル外周縁に装着すると、滑ってしまって装着できず、粘着テープなどによって布製ベルトをヘルメットに保持しているのが実情である。
【０００８】
本考案はかかる問題点に鑑み、ヘルメットへの装着性に優れたヘッドランプを提供することを課題とする。
【課題を解決するための手段】
【０００９】
そこで、本考案に係るヘッドランプは、ヘルメットのシェル外周縁に装着されるヘッドランプにおいて、ヘッドマウントにはランプ本体が揺動可能に取付けられる一方、ヘッドマウントの左右両側にはベルト取付け部が形成され、該ベルト取付け部には伸縮ベルトの両端部が着脱可能に取付けられ、該伸縮ベルトのベルト表面及びベルト裏面の少なくとも一方はそのゴム面が露出され、該ゴム面がヘルメットのシェル外周縁に密着され得るようになっていることを特徴とする。
【００１０】
本考案の特徴の１つは伸縮ベルトをヘッドマウントに着脱自在に取り付けるようにした点にある。これにより、素材の異なる伸縮ベルトを用途に応じて自由に変更することができる。
【００１１】
本考案の他の特徴は伸縮ベルトのベルト表裏面の少なくとも一方のゴム面を露出させるようにした点にある。これにより、伸縮ベルトのゴム面をヘルメットのシェル外周縁に密着させることができ、伸縮ベルトがシェル外周縁に対して滑ることはなく、安定して装着することができ、布製ベルトのように粘着テープを用いて取付ける煩わしさがない。
【００１２】
伸縮ベルトはベルト表裏面の少なくとも一方のゴム面が露出した構造であればよく、例えば布製ベルトの裏面のゴム面を露出させる構造としてもよいが、ベルト表裏両面のゴム面を露出させるのがよい。
【００１３】
伸縮ベルトの素材は特に限定されないが、コストを考慮すると、シリコンゴム、クロロプレンゴム、天然ゴム又はニトリルゴム（ＮＢＲゴム）によって製造されるのがよい。
【図面の簡単な説明】
【００１４】
【図１】本考案に係るヘッドランプの好ましい実施形態を示す概略斜視図である。
【図２】上記実施形態の使用状態を示す図である。
【考案を実施するための形態】
【００１５】
以下、本考案を図面に示す具体例に基づいて詳細に説明する。図１及び図２は本考案の係るヘッドランプの好ましい実施形態を示す。図において、ランプ本体１０は複数のＬＥＤ及び電池を内蔵して構成され、ランプ本体１０はブラケットによってヘッドマウント１１に水平軸回りに揺動自在に取付けられている。
【００１６】
ヘッドマウント１１はプラスチック材料を用い、ユーザの額に沿うように湾曲したプレート状に製造され、ヘッドマウント１１の左右両側及び上側にはベルト取付け部１２が形成され、ベルト取付け部１２は図１に示されるように中間で分割され、伸縮ベルト１３を交換できるようになっている。
【００１７】
伸縮ベルト１３はシリコンゴム、クロロプレンゴム、天然ゴム又はＮＢＲゴムによって製造され、ベルト表裏両面のゴム面が露出され、又伸縮ベルト１３の途中にはベルト長さを調節する調節具１３Ａが設けられている。
【００１８】
ヘルメット２０にヘッドランプを装着する場合、伸縮ベルト１３をヘルメット２０のシェル外周縁に装着してゴム面をシェル外周縁に面で密着させる。ゴム面は滑り難いので、ヘッドランプはヘルメット２０のシェル外周縁にずれることなく確実に装着される。
【００１９】
したがって、粘着テープなどを用いて取付ける煩わしさはなく、現場での作業性を大幅に向上できる。
【００２０】
ユーザの額にヘッドランプを装着する場合には伸縮ベルト１３の両端部をベルト取付け部１２のスリットから抜き出し、布製ベルトの両端部をスリットからベルト取付け部１２に取付ける。
【００２１】
本例のヘッドランプは布製ベルト及びゴム製ベルトの２種類の伸縮ベルトをセットにしてユーザに提供するのがよい。
【符号の説明】
【００２２】
１０    ランプ本体
１１    ヘッドマウント
１２    ベルト取付け部
１３    伸縮ベルト
２０    ヘルメット
２０Ａ  シェル外周縁
【図１】
0003169650.tif 000003
【図２】
0003169650.tif 000004